(57)【特許請求の範囲】
【請求項１】
両側にそれぞれ建具が開閉可能に連結された連結部材の内部に進退可能に内装され、先端部にデッドボルトを有するバー材と、ハンドルとを具備し、このハンドルの正逆回動と一体に上記バー材が進退し、このバー材のデッドボルトが連結部材外に進出することにより、上記建具の取付枠に設けられた凹状の施錠部内に係合して上記建具を施錠し、上記デッドボルトが連結部材内に退入することにより、上記施錠状態を解除するようにした建具の施錠機構において、上記バー材に切欠部を設け、かつ上記連結部材に、上記デッドボルトの退入限位置において上記切欠部と対向してストッパーを設けると共に、このストッパーが切欠部と対向した際、ストッパーを切欠部に挿入せしめて上記バー材の進退をロックするように付勢されたバネ材を設け、かつ上記ストッパー又はバネ材を上記ストッパーが上記切欠部を脱出するように押圧するロック解除手段を設け、建具が閉状態において、上記ロックが解除されるように構成し、上記ストッパーが、断面コ字状に形成されたものであり、このストッパー内にバー材を配設し、該ストッパーを一側に移動させて、上記ストッパーの他側部を上記切欠部に挿入するように付勢されたコイルバネを設けて、上記ストッパーの他側部が上記切欠部と対向した際に該他側部が該切欠部に挿入するよう構成したことを特徴とする建具の施錠機構。
【請求項２】
上記ロック解除手段が、上記建具が閉じた際、この建具面がバネ材の付勢力に抗してストッパーを押圧することにより、ストッパーが切欠部から脱出するように構成した手段である請求項１記載の建具の施錠機構。
【請求項３】
両側にそれぞれ建具が開閉可能に連結された連結部材の内部に進退可能に内装され、先端部にデッドボルトを有するバー材と、ハンドルとを具備し、このハンドルの正逆回動と一体に上記バー材が進退し、このバー材のデッドボルトが連結部材外に進出することにより、上記建具の取付枠に設けられた凹状の施錠部内に係合して上記建具を施錠し、上記デッドボルトが連結部材内に退入することにより、上記施錠状態を解除するようにした建具の施錠機構において、上記バー材に切欠部を設け、かつ上記連結部材に、上記デッドボルトの退入限位置において上記切欠部と対向してストッパーを設けると共に、このストッパーが切欠部と対向した際、ストッパーを切欠部に挿入せしめて上記バー材の進退をロックするように付勢されたバネ材を設け、かつ上記ストッパー又はバネ材を上記ストッパーが上記切欠部を脱出するように押圧するロック解除手段を設け、建具が閉状態において、上記ロックが解除されるように構成し、上記ロック解除手段が、上記建具が閉じた際、この建具面がバネ材の付勢力に抗してストッパーを押圧することにより、ストッパーが切欠部から脱出するように構成した手段であることを特徴とする建具の施錠機構。
【請求項４】
更に、上記連結部材に窓部が設けられると共に、該窓部にブラケットが取付けられ、上記ストッパーが、そのほぼ中心部が軸により回動可能に上記ブラケットに取り付けられ、先端側に係合部を有するものであり、上記ブラケットに上記ストッパーの後端部を外方に向けて押圧することにより上記係合部をバー材方向に進出するように付勢された板バネを設けて、上記ストッパーの係合部が上記切欠部と対向した際に該係合部が該切欠部に挿入するよう構成した請求項３記載の建具の施錠機構。
【発明の詳細な説明】
【０００１】
【発明の属する技術分野】
本発明は、障子等の建具の施錠機構に関し、更に詳述すると、建具を施錠する際に用いるグレモン締りの施錠機構に関するものである。
【０００２】
【従来の技術】
従来、住宅等に用いる扉，窓，障子等の建具において、建具の取付枠に設けられた凹状の受金物（施錠部）に、デッドボルトを突出して建具を固定するタイプのグレモン締りを施錠方法として用いる場合がある。これは主にハンドルにて連動され、デッドボルトと受金物との取り合いで、建具を枠に固定するように作用するので、防音ドアなどの気密性を要する建具に使用されることが多い。
【０００３】
図５乃至図８は、従来のグレモン締りの一例を説明するもので、建具ｄ１，ｄ２は、図５，６に示したように、連結部材１の両側にそれぞれ開閉可能に（連結部材１に対して回動可能に）連結されていると共に、一方の建具ｄ１は、縦枠２に蝶番３によって回動可能に連結され、図６（Ａ）〜（Ｃ）に示したように、建具ｄ１，ｄ２が開閉し、両建具ｄ１，ｄ２が開いた状態（縦枠２に対し折りたたまれた状態）でその側面が連結部材１を介して互いに対向し得るようになっている。
【０００４】
図７，８は、グレモン締りを採用した場合のハンドル部の機構を示し、図７は施錠時、図８は施錠解除時の状態を示すものである。このグレモン機構は、図７，８では図示していない略筒状の連結部材１に設けられたもので、操作ハンドル１１に上下２本のバー材１２，１２がそれぞれスライダー１３，１３を介して連結されたものである。
【０００５】
上記操作ハンドル１１は、そのハンドル部１１ａが上記連結部材１の前面に固定されたハンドル台座１４より前方に突出した状態で基部１１ｂが回動可能（図示の例では１８０°正逆回動可能）に支承されており、ハンドル１１の基端面には、その外周縁側に互いに対向してピン１１ｃ，１１ｃが突設されている。一方、バー材１２，１２は上記連結部材１に内蔵されているもので、それぞれその先端部にデッドボルト１５，１５が取り付けられていると共に、基端側の前面には、それぞれ引き寄せ軸１６，１６が突設されている。また、スライダー１３，１３は、それぞれくの字板状に形成され、その長さ方向両端側にそれぞれ挿入孔が穿設され、その一方の挿入孔に上記ハンドル１１のピン１１ｃ，１１ｃがそれぞれ回動可能に挿入されていると共に、他方の挿入孔に上記バー材１２，１２の引き寄せ軸１６，１６が回動可能に挿入されている。
【０００６】
従って、図５（Ａ）及び図７に示すように、施錠状態でバー材１２，１２が互いに最大離間距離にあり、デッドボルト１５，１５が連結部材１外に進出し、これらデッドボルト１５，１５がそれぞれ建具ｄ１，ｄ２の取付枠１７に設けられた凹状の施錠部１７ａ，１７ａ内に係合しており、これによって建具ｄ１，ｄ２が開閉不可能に閉じた状態に施錠されている。
【０００７】
この施錠状態から、施錠状態で下向きになっているハンドル１１を回動して図５（Ｂ）、図８に示すように上向きにすると、ハンドル１１の回動に伴い、これと一体にピン１１ｃ，１１ｃがハンドル１１の中心軸を中心に１８０°回動し、当初の対向状態からそれぞれ該中心の対極側に移動する。これに伴い、ピン１１ｃ，１１ｃに連結されたスライダー１３，１３を介してバー材１２，１２が中心側に引き寄せられる。そして、これによってバー材１２，１２に連結されているデッドボルト１５，１５が連結部材１内に退入し、上記施錠部１７ａ，１７ａから脱出することにより、上記施錠状態が解除される。従って、上記建具ｄ１，ｄ２が折りたたみ可能となり、図６に示したように開くことができるものである。
【０００８】
【発明が解決しようとする課題】
しかしながら、上記従来のグレモン機構には、以下に示す欠点があった。即ち、上記施錠解除状態において、バー材１２，１２が固定されることがないため、不用意にバー材１２，１２が往復動（図において上下動）する場合があり、施錠解除状態で本来連結部材内部に収容されているべきデッドボルト１５，１５が建具の開閉中などで連結部材１外に突出してしまい、開閉動作の障害になる場合がある等の不都合があった。また、図６に示すような折りたたみ戸の場合では、一対の建具ｄ１，ｄ２が連結部材１を中心にハンドル１１を挟み込む状態になるため、バー材１２，１２とスライダー１３，１３を介して連結しているハンドル１１もバー材１２，１２が上下動するとこれに伴い回動してしまい、建具ｄ１，ｄ２に傷をつけることがあり、建具ｄ１，ｄ２がガラス等を使用した窓である場合にはガラスを破損するおそれもあった。
【０００９】
本発明は、上記事情に鑑みてなされたもので、比較的簡便な機構により施錠をはずした状態、即ち連結部材内部にデッドボルトを収容した状態にあるグレモン締りにおいて、バー材とハンドルとが動かないようにロックすることを可能とする建具の施錠機構を提供することを目的とする。
【００１０】
【課題を解決するための手段】
本発明は、上記目的を達成するため、
両側にそれぞれ建具が開閉可能に連結された連結部材の内部に進退可能に内装され、先端部にデッドボルトを有するバー材と、ハンドルとを具備し、このハンドルの正逆回動と一体に上記バー材が進退し、このバー材のデッドボルトが連結部材外に進出することにより、上記建具の取付枠に設けられた凹状の施錠部内に係合して上記建具を施錠し、上記デッドボルトが連結部材内に退入することにより、上記施錠状態を解除するようにした建具の施錠機構において、上記バー材に切欠部を設け、かつ上記連結部材に、上記デッドボルトの退入限位置において上記切欠部と対向してストッパーを設けると共に、このストッパーが切欠部と対向した際、ストッパーを切欠部に挿入せしめて上記バー材の進退をロックするように付勢されたバネ材を設け、かつ上記ストッパー又はバネ材を上記ストッパーが上記切欠部を脱出するように押圧するロック解除手段を設け、建具が閉状態において、上記ロックが解除されるように構成し、上記ストッパーが、断面コ字状に形成されたものであり、このストッパー内にバー材を配設し、該ストッパーを一側に移動させて、上記ストッパーの他側部を上記切欠部に挿入するように付勢されたコイルバネを設けて、上記ストッパーの他側部が上記切欠部と対向した際に該他側部が該切欠部に挿入するよう構成したことを特徴とする建具の施錠機構、及び
両側にそれぞれ建具が開閉可能に連結された連結部材の内部に進退可能に内装され、先端部にデッドボルトを有するバー材と、ハンドルとを具備し、このハンドルの正逆回動と一体に上記バー材が進退し、このバー材のデッドボルトが連結部材外に進出することにより、上記建具の取付枠に設けられた凹状の施錠部内に係合して上記建具を施錠し、上記デッドボルトが連結部材内に退入することにより、上記施錠状態を解除するようにした建具の施錠機構において、上記バー材に切欠部を設け、かつ上記連結部材に、上記デッドボルトの退入限位置において上記切欠部と対向してストッパーを設けると共に、このストッパーが切欠部と対向した際、ストッパーを切欠部に挿入せしめて上記バー材の進退をロックするように付勢されたバネ材を設け、かつ上記ストッパー又はバネ材を上記ストッパーが上記切欠部を脱出するように押圧するロック解除手段を設け、建具が閉状態において、上記ロックが解除されるように構成し、上記ロック解除手段が、上記建具が閉じた際、この建具面がバネ材の付勢力に抗してストッパーを押圧することにより、ストッパーが切欠部から脱出するように構成した手段であることを特徴とする建具の施錠機構
を提供する。
【００１１】
本発明の施錠機構によれば、建具の施錠をはずす際、中心部へ引き寄せられた状態にあるバー材をロックすることで、バー材の先端部に具備されているデッドボルトを確実に連結部材の内部に収容したままに維持し、かつバー材と適宜な連結部材を介し連結されているハンドルをも固定するものである。
【００１２】
従って、従来のグレモン機構のように施錠をはずし、建具を開閉する際に、バー材が不用意に往復動してしまうことがなくなり、デッドボルトは常に連結部材に収容された状態となり、建具の開閉動作の障害となることがなくなり、またハンドルも固定されることから、建具開閉中などにハンドルが回転してこれが建具にぶつかり、建具の破損を引き起こすといった問題がなくなるものである。
【００１３】
この場合、上記ロック機構としては、更に、上記連結部材に窓部が設けられると共に、該窓部にブラケットが取付けられ、上記ストッパーが、そのほぼ中心部が軸により回動可能に上記ブラケットに取り付けられ、先端側に係合部を有するものであり、上記ブラケットに上記ストッパーの後端部を外方に向けて押圧することにより上記係合部をバー材方向に進出するように付勢された板バネを設けて、上記ストッパーの係合部が上記切欠部と対向した際に該係合部が該切欠部に挿入するよう構成すること、或いは、上記ストッパーが、断面コ字状に形成されたものであり、このストッパー内にバー材を配設し、該ストッパーを一側に移動させて、上記ストッパーの他側部を上記切欠部に挿入するように付勢されたコイルバネを設けて、上記ストッパーの他側部が上記切欠部と対向した際に該他側部が該切欠部に挿入するよう構成することが、構成が簡単で安価に作製し得、かつ確実で安定したロックを保障する点から、好適である。
【００１４】
また、上記ロック解除手段を、上記建具を閉じた際、この建具面がバネ材の付勢力に抗してストッパーを押圧することにより、ストッパーが切欠部から脱出するように構成した手段とすることによって、建具面そのものがロックを解除するので、別途に部材を設けなくてもよい上、建具を開いた後、建具を閉じ終えるまでロックが解除されないので、本発明の上述した目的がより有利に達成される。
【００１５】
【発明の実施の形態及び実施例】
以下、本発明の一実施例につき図１〜３を参照して説明する。なお、本実施例において、ハンドルを回動させて、デッドボルトを先端部に具備したバー材を往復動させる機構は上述した従来技術と同様であり、また、上下各１組づつ部材を配設し、ハンドルを操作することで建具を図中上下両方で施錠することができることも同様であるため、図５〜８と同一構成部品については同一の参照符号を付してその説明を省略する。
【００１６】
本実施例において、連結部材１は、図３に示したように四角筒状主体２１の前壁２１ａの両側前縁部に一体に連設された横断面が略円弧状の連結壁２１ｂ，２１ｂを介して前端壁２１ｃが設けられてなるものであり、この前端壁２１ｃにハンドル台座１４が取り付けられていると共に、このハンドル台座１４に上述したようにハンドル１１が回動可能に取り付けられてなるものである。また、バー材１２，１２は、上記主体１ａ内に往復動可能（図１，２において上下方向移動可能）に配設されている。
【００１７】
図３において、３１は建具持部材であり、この建具保持部材３１は、中央部裏面に凹部３２ａが形成されたブロック状主壁３２の表面両側縁部にそれぞれＬ字状壁３３，３３が一体に突設され、これらＬ字状壁３３，３３間に開口部３４を有する枠状主体３５と、この枠状主体３５の一方のＬ字状壁３３の基端部外面に一体に設けられた横断面が小円弧状の係合部３６とを具備し、この係合部３６が上記連結部材１の連結壁２１ｂ，２１ｂに回動可能に嵌挿されることにより、上記建具保持部材３１がその係合部３６を中心に上記連結部材１に回動可能に連結されている。なお、上記開口部３４から金属板、木板、ガラス板等の適宜な建具用アタッチメントが枠状主体３５内に挿入、固定されることにより、建具（図５，６における符号ｄ１，ｄ２）が形成されるものである。
【００１８】
上記連結部材１の主体２１の一側壁２１ｄ、他側壁２１ｅには、それぞれ窓部２２，２２が設けられていると共に、これら窓部２２，２２には、それぞれ板状ストッパー２３，２３を軸２４，２４により回動可能に支承したブラケット２５，２５がネジ２６，２６により上記一側壁２１ｄ、他側壁２１ｅに固定されることにより取り付けられている。上記ストッパー２３，２３は、先端側に四角鎌状に形成された係合部２３ａ，２３ａを有すると共に、後端部内側面に山型凸部２３ｂ，２３ｂを有し、これら凸部２３ｂ，２３ｂは、上記ブラケット２５，２５に取り付けられた板バネ２７，２７に当接されている。これら板バネ２７，２７は、上記凸部２３ｂ，２３ｂを外方に押圧するように付勢され、この押圧力により上記ストッパー２３，２３は軸２４，２４を中心に回動し、その先端側の四角鎌状係合部２３ａ，２３ａ先部がバー材１２，１２に当接している。
【００１９】
また、バー材１２，１２には、図２に示すように、両バー材１２，１２が最近接した状態（デッドボルトの退入限位置）において、上記ストッパー２３，２３の係合部２３ａ，２３ａに対向した位置に切欠部２８，２８が設けられている。
【００２０】
従って、図１に示したようなデッドボルトが施錠部に係合した施錠状態にある状態では、上記切欠部２８，２８は係合部２３ａ，２３ａと離間し、ハンドル１１は回動可能状態にある。この図１に示した状態からハンドル１１を上向きに１８０°回動することにより、バー材１２，１２がそれぞれ図２において下降、上降して近接、引き寄せられ、バー材１２，１２の先端部に設けられたデッドボルト１５，１５（図１，２には図示なし）が施錠部１７，１７から抜け出し、施錠状態が解除される。そして、上記バー材１２，１２が最近接した状態において、バー材１２，１２の切欠部２８，２８がストッパー２３，２３の係合部２３ａ，２３ａに対向すると、上記板バネ２７，２７の押圧力によりストッパー２３，２３が軸２４，２４を中心に回動して上記係合部２３ａ，２３ａがバー材１２，１２の切欠部２８，２８内に挿入、係合し、これによってバー材１２，１２の往復動（図１，２において上下動）が係止され、デッドボルト１５，１５が連結部材１内に退入した状態にロックされると共に、ハンドル１１の回動がロックされる。
【００２１】
図３は上記ロック機構部の断面図であり、（Ａ）はロック解除時、（Ｂ）はロック時であり、それぞれ図１，２に対応するが、図３によりロック状態からロックを解除する方法について説明すると、図２（Ｂ）、図３（Ｂ）に示したようにストッパー２３，２３の係合部２３ａ，２３ａがバー材１２，１２の切欠部２８，２８に挿入、係合したロック状態では、ストッパー２３，２３の後端部はブラケット２５，２５より外方に突出している。この状態から建具ｄ１，ｄ２を閉じる（建具収容部材３１，３１を互いに近接するように回動させる）と、上記建具収容部材３１，３１のブロック状主壁３２，３２の凹部３２ａ，３２ａの底面が板バネ２７，２７の付勢力に抗してストッパー２３，２３のブラケット２５，２５より外方に突出している後端部を押圧し、ストッパー２３，２３を軸２４，２４を中心に該後端部がバー材１２，１２に近接するように回動させる。従って、これによりストッパー２３，２３の係合部２３ａ，２３ａがバー材１２，１２の切欠部２８，２８から抜け出し、上記ロック状態が解除される。それ故、ハンドル１１が回動可能になるので、ここでハンドル１１を下向きに１８０°回動させることにより、先に述べたように、デッドボルト１５，１５を施錠部１７，１７に係合させて施錠するものである。
【００２２】
なお、図３（Ａ）に示したように、上記ロック解除状態、即ち建具が閉じた状態では、両建具収容部材３１，３１の主壁３２，３２の外側突出部３２ｂ，３２ｂは互いに当接している。
【００２３】
従って、本実施例の施錠機構によれば、比較的簡単な機構によりグレモン締りにおけるバー材及びバー材に適宜な連結器具で連結されたハンドルを、デッドボルトを連結部材の内部に収容した状態のまま固定することができる。
【００２４】
このことにより、建具の開閉中にデッドボルトが不用意に連結部材の外に突出して開閉の障害となったり、また建具の開閉中にハンドルが不用意に回転して建具等を損傷することがなくなる。
【００２５】
更に本発明では、上述したように建具が閉状態である時は上述のロックが解除されるように構成されており、ロック解除のために複雑な構成、煩雑な操作を必要としない。
【００２６】
なお、本発明の施錠機構は、上記実施例に限られるものではなく、例えば図４に示す構成であってもよい。即ち、この例にあっては、ストッパー２３は断面コ字状に形成され、また連結部材１の一側壁２１ｄ又は他側壁２１ｅにネジで固定されたブラケット２５に摺動可能にスプリング軸２９が配設され、このスプリング軸２９の先端部に係止板２９ａが突設され、この係止板２９ａとブラケット２５との間にコイルバネ３０が介装されていると共に、上記スプリング軸２９の基端面が上記ストッパー２３の一側部外面に固着されたもので、この場合、コイルバネ３０はストッパー２３を引張り、外方に移動させるように付勢されている。また、バー材１２は上記断面コ字状のストッパー２３内に配設されている。なお、その他の構成は図１〜３の実施例と同様である。
【００２７】
従って、図４（Ａ）に示したデッドボルトが施錠部に係合した施錠状態にある時は、上記コイルバネ３０の付勢力に抗して主壁３２の凹部３２ａ底面がスプリング軸２９を介してストッパー２３を押圧し、ストッパー２３が切欠部２８と対向状態にあっても、ストッパー２３の他側部が切欠部２８から抜け出ている状態にあり、上記ロック状態が解除された状態にある。なお、ハンドル１１が下向きの状態にある時は、もともとストッパー２３が切欠部２８と対向していないので、ロックされることはない。また、図４（Ｂ）に示したように、施錠状態が解除されてバー材１２，１２が最近接した状態において、ストッパー２３と切欠部２８とが対向すると、上記凹部３２ａの底面によるストッパー２３の押圧が解除されており、上記コイルバネ３０の引張り力によりストッパー２３の他側部が切欠部２８に挿入し、ロックされるものである。
【００２８】
なおまた、上記実施例では、２本のバー材１２，１２に対しそれぞれデッドボルトの施錠機構、バー材１２，１２の往復動ロック機構を設けたが、一方のバー材のみに施錠機構、ロック機構を設けるだけでもよく、更に上記ロック機構において、ロック解除手段としては、建具収容部材の主壁によるストッパー２３の押圧を手段として採用し、建具が開いた際にこの建具による押圧でストッパー２３を切欠部２８から脱出させるように構成したが、これに限られるものではなく、バネ材の付勢力に抗してストッパー２３を押圧する押ボタンを別途設けるなどの構成でもよく、ロック解除手段は、要はストッパーが切欠部を脱出するように押圧するものであればよい。また、バー材とハンドルとの連結も上記したスライダーを用いた機構に限定されるものではなく、例えばラックとピニオンとを用いて動作させるなど、適宜変更できる。なおまた、その他の構成についても、本発明の要旨を逸脱しない限り適宜変更して差し支えない。
【００２９】
【発明の効果】
以上説明したように、本発明によれば、比較的簡便な機構により施錠をはずした状態のグレモン締りにおけるバー材をロックしてバー材がみだりに往復動しないようにし、かつハンドルも同時にロックすることでハンドルがみだりに回転することを防止し、建具開閉時のこれら部材による弊害をなくすことができる。
【図面の簡単な説明】
【図１】本発明の一実施例に係るロック機構を具備するグレモン締りを示す概略図であり、ロックしていない状態を示し、（Ａ）は部分断面側面図、（Ｂ）はそのＡ−Ａ線に沿った断面図である。
【図２】本発明の同実施例に係るロック機構を具備するグレモン締りを示す概略図であり、ロックしている状態を示し、（Ａ）は部分断面側面図、（Ｂ）はそのＡ−Ａ線に沿った断面図である。
【図３】本発明の同実施例に係るロック機構を具備するグレモン締りを示す横断面図であり、（Ａ）は建具を閉じた状態を、（Ｂ）は建具を開いた状態を示す。
【図４】図３に示すものと異なるロック機構を具備するグレモン締りを示す横断面図であり、（Ａ）は建具を閉じた状態を、（Ｂ）は建具を開いた状態を示す。
【図５】折りたたみ戸に従来技術であるグレモン締りを採用した時の建具概略図を示し、（Ａ）は施錠時、（Ｂ）は施錠解除時の状態を示す。
【図６】同折りたたみ戸の開閉時の動作を示す概略図で、（Ａ）は戸を閉じた状態、（Ｂ）は戸を開閉途上の状態、（Ｃ）は戸を開いた状態を示す。
【図７】従来のグレモン締りの機構を示す概略図であり、本図は施錠状態にあることを示し、（Ａ）は部分断面側面図、（Ｂ）はそのＡ−Ａ線に沿った断面図である。
【図８】従来のグレモン締りの機構を示す概略図であり、本図は施錠を解除した状態にあることを示し、（Ａ）は部分断面側面図、（Ｂ）はそのＡ−Ａ線に沿った断面図である。
【符号の説明】
ｄ１，ｄ２  建具
１  連結部材
１ａ  主体
２  縦枠
３  蝶番
１１  ハンドル
１１ａ  ハンドル部
１１ｂ  ハンドル基部
１１ｃ  ピン
１２  バー材
１３  スライダー
１４  台座
１５  デッドボルト
１６  引き寄せ軸
１７  取付枠
１７ａ  施錠部
２１  主体
２１ａ  前壁
２１ｂ  連結壁
２１ｃ  前端壁
２１ｄ  一側壁
２１ｅ  他側壁
２２  窓部
２３  ストッパー
２３ａ  係合部
２３ｂ  凸部
２４  軸
２５  ブラケット
２６  ネジ
２７  板バネ
２８  切欠部
２９  スプリング軸
３０  コイルバネ
３１  建具保持部材
３２  主壁
３２ａ  凹部
３２ｂ  突出部
３３  Ｌ字状壁
３４  開口部
３５  枠状主体
３６  係合部
【図１】
0004273552.tif 000002
【図２】
0004273552.tif 000003
【図３】
0004273552.tif 000004
【図４】
0004273552.tif 000005
【図５】
0004273552.tif 000006
【図６】
0004273552.tif 000007
【図７】
0004273552.tif 000008
【図８】
0004273552.tif 000009